(57)【特許請求の範囲】
【請求項１】
砲身(2)の後方に設けられた鎖栓室(3)内に前記砲身(2)の軸方向とは直交する直交方向(E)に往復移動自在に設けられた第１、第２薬室(4,5)を有する鎖栓(6)と、前記鎖栓室(3)の後方に位置し前記第１、第２薬室(4,5)に対応して弾薬(10a〜10n)を給弾する給弾部と、前記給弾部の後方に位置し前記弾薬(10a〜10n)を前記各薬室(4,5)内に装填するための第１、第２ランマ(21,22)とを備え、前記弾薬(10a〜10n)の給弾と同時に給弾済の弾薬(10a〜10n)を前記各薬室(4,5)の一方に装填し、前記装填により前記薬室(4,5)内の薬莢を排出するように構成した薬室型鎖栓方式のプッシュスルー型機関砲において、
第１弾薬(10a)を有する前記第１薬室(4)を撃発位置に、第２薬室(5)を第２ランマ(22)に対応させた状態で前記第１薬室(4)に対応した位置に第３弾薬(10c)の給弾を行うと同時に前記第２ランマ(22)で第２弾薬(10b)を第２薬室(5)内に装填して第１薬室(4)内の第１弾薬(10a)を撃発し、次に、前記鎖栓(6)を移動させ第２薬室(5)を撃発位置に第１薬室(4)を第１ランマ(21)に対応させた位置とし、第１ランマ(21)に対応した位置に前記第３弾薬(10c)が位置すると共に第２ランマ(22)に対応した位置に第４弾薬(10d)を給弾し、第１ランマ(21)で第３弾薬(10c)を第１薬室(4)内に装填すると同時に第１薬室(4)内の薬莢を排出し、第２薬室(5)内の第２弾薬(10b)を撃発することを特徴とする薬室型鎖栓方式のプッシュスルー型機関砲。
【発明の詳細な説明】
【０００１】
【発明の属する技術分野】
本発明は、薬室型鎖栓方式のプッシュスルー型機関砲に関し、特に、一対の薬室を交互に用い、弾薬の給弾と薬室装填と薬莢の排出及び撃発とを同時に行うと共に、駆動トルク及び動力を減少させて小型化を達成するための新規な改良に関する。
【０００２】
【従来の技術】
従来、用いられていたこの種の機関砲としては、プッシュスルー型としてリボルバタイプ、スイング方式及び鎖栓方式が採用されている。この場合、鎖栓式、リボルバ式、スイングタイプ等が、それぞれ要求されるスペックに応じて使いわけられている。一般にプッシュスルー型に使用する弾薬は、ＣＴＡ（テレスコープ弾）である。
機関砲の射撃サイクルは、装填→閉鎖→撃発→閉鎖解除→薬莢排出の順序で行われ、プッシュスルー方式は、装填と薬莢排出を同時に行うことでサイクル時間を短縮し、発射速度を上げようとするものである。
この機関砲に要求される特性として、軽量、小型で確実な作動、さらに高発射速度が求められる。
いずれの方式も、薬室を装填位置→閉鎖位置→装填（抽出）位置へ変換（移動）させる必要がある。
リボルバタイプは、装填を数段階に分割して行う。このため装填速度を小さくできることが最大のメリットであるが、重量及び寸法が大きくなることは避け得ない。
従って、現状では、比較的小口径のものに使われている。
スイング方式及び鎖栓方式は、その構造上、装填速度がリボルバ方式より大きくなる。
次に、以上各方式の射撃１サイクルの標準的な時間分割を図１４に示す。
【０００３】
また、前述の図１４に示される各タイプの装填速度及び薬室の移動に要するトルク又は力は、次の数１に示される各式の通りである。
【０００４】
【数１】
0003886315.tif 000002
【０００５】
【発明が解決しようとする課題】
従来のプッシュスルー型機関砲は、以上のように構成されていたため、次のような課題が存在していた。
すなわち、リボルバタイプは、装填を数段階に分割して行うため、装填速度を小さくできるが、重量が大きくかつ構成も大型化していた。
また、スイング方式及び鎖栓方式は、その構造上、装填速度がリボルバ方式よりも大となり、薬室が１個であるため、サイクル時間を短縮し、発射速度を上げることが困難であった。
【０００６】
本発明は、以上のような課題を解決するためになされたもので、特に、一対の薬室を交互に用い、弾薬の給弾と薬室装填と撃発及び薬莢の排出とを同時に行うと共に、駆動トルク及び動力を減少させて小型化を達成するようにした薬室型鎖栓方式のプッシュスルー型機関砲を提供することを目的とする。
【０００７】
【課題を解決するための手段】
本発明による薬室型鎖栓方式のプッシュスルー型機関砲は、砲身の後方に設けられた鎖栓室内に前記砲身の軸方向とは直交する直交方向に往復移動自在に設けられた第１、第２薬室を有する鎖栓と、前記鎖栓室の後方に位置し前記第１、第２薬室に対応して弾薬を給弾する給弾部と、前記給弾部の後方に位置し前記弾を前記各薬室内に装填するための第１、第２ランマとを備え、前記弾薬の給弾と同時に給弾済の弾薬を前記各薬室の一方に装填し、前記装填により前記薬室内の薬莢を排出するようにした構成において、第１弾薬を有する前記第１薬室を撃発位置に、第２薬室を第２ランマに対応させた状態で前記第１薬室に対応した位置に第３弾薬の給弾を行うと同時に前記第２ランマで第２弾薬を第２薬室内に装填して第１薬室内の第１弾薬を撃発し、次に、前記鎖栓を移動させ第２薬室を撃発位置に第１薬室を第１ランマに対応させた位置とし、第１ランマに対応した位置に前記第３弾薬が位置すると共に第２ランマに対応した位置に第４弾薬を給弾し、第１ランマで第３弾薬を第１薬室内に装填すると同時に第１薬室内の薬莢を排出し、第２薬室内の第２弾薬を撃発する構成である。
【０００８】
【発明の実施の形態】
以下、図面と共に本発明による薬室型鎖栓方式のプッシュスルー型機関砲の好適な実施の形態について説明する。
図１及び図２は、本発明による機関砲を示す側断面図及び平面図である。
図１及び図２において符号１で示されるものは砲身２を有する尾筒であり、この砲身１の後方の鎖栓室３内には、第１、第２薬室４，５を有する鎖栓６がこの砲身２の軸方向と直交する直交方向Ｅに沿って往復移動するように設けられている。
前記鎖栓室３の後方には、図示しない給弾部により左右方向から交互にｎ個の弾薬１０ａ〜１０ｎを給弾することができる第１、第２給弾穴１１，１２が設けられている。
【０００９】
次に、動作について説明する。まず、図３において、鎖栓６が左側へ移動しているため、第１薬室４内に装填された第１弾薬１０ａは砲身２と対応しており、第２弾薬１０ｂは第２薬室５及び第２ランマ２２に対応し、第３弾薬１０ｃが給弾部から第１ランマ２１に対応する位置に給弾される予定である。
前述の状態において、第３弾薬１０ｃが第１ランマ２１に対応した位置に給弾されると同時に、第２弾薬１０ｂは第２薬室５内に装填され、同時に撃発部３０が作動して第１弾薬１０ａの撃発が行われる。
【００１０】
図４は、図３の撃発直後の状態を示しており、第１薬室４内には第１弾薬１０ａの薬莢１０ａＡが残っている状態である。次に、図５は、鎖栓６が図３の鎖栓移動距離Ｓ分だけ右側へ移動した状態を示しており、第２弾薬１０ｂが撃発位置に位置し、第１弾薬１０ａの薬莢１０ａＡが第１ランマ２１に対応して位置し、第３弾薬１０ｃは第１ランマ２１に対応して位置し、第４弾薬１０ｄが給弾手段によって第２ランマ２２に対応した位置に位置する。
その後、第２弾薬１０ｂは撃発され、同時に第１ランマ２１による第３弾薬１０ｃの装填によって薬莢１０ａＡが排出される。
以上の動作を繰り返すことにより、次々と連続して給弾、装填、撃発及び薬莢排出の各動作が行われる。
以上の動作をタイムシーケンスで示すと、図６の通りである。このタイムシーケンスを図１４の従来のタイムシーケンスと比較すると、同じ発射速度においては、鎖栓６及び各ランマ２１及び２２の速度は、時間が２倍となる。従って、ランマ２１，２２の速度及び鎖栓６の速度は１／２となる。
【００１１】
なお、前述の各ランマ２１，２２及び鎖栓６の動作は、一例として示すと、図７から図１２で示される構成を採用することができる。すなわち、前記尾筒１の鎖栓室３の後方には、モータ７によって連続回転可能なカムドラム４０が配設されており、このカムドラム４０の外周には図１２及び図１３で示される無端カム溝５０が形成され、この無カム溝５０の軸方向における両端位置には第１、第２ランマ２１，２２のローラ２１ａ，２２ａがこの無端カム溝５０に係合していると共に、このカムドラム４０の上方に位置するカム板２３の下面に設けられたローラ２３ａがこの無端カム溝５０に係合している。
なお、この各ランマ２１，２２は前記尾筒１の一対の溝ｅ，ｅ’に摺動自在に保持され、前記カム板２３は前記尾筒１の溝ｄ内に摺動自在に設けられている。従って、前記カムドラム４０の回転により、この無端カム溝５０に係合する各ローラ２１ａ，２２ａ，２３ａによって、各ランマ２１，２２及びカム板２３を矢印Ａで示すように砲身２の軸方向と同一の第１往復移動方向に沿って往復移動するように構成されている。なお、この無端カム溝５０の両端には、図１１で示されるようにカムリードの作用のない停止リード部５ａ，５ｂが形成されている。
【００１２】
前記カム板２３には、図１０で示されるように、所定のカムリードＢ，Ｃを有する長手カム溝２４が有底又は貫通状にて形成され、この長手カム溝２４には前記鎖栓６の下面に形成されたローラ１ａが摺動自在に係合している。
前記ローラ１ａが前記長手カム溝２４によって移動することにより前記鎖栓６は前記第１往復移動方向Ａとは直交する方向である直交方向Ｅに沿って往復移動するように構成され、この鎖栓６には、第１、第２薬室４，５が形成されている。
前記各薬室４，５間の中心間距離Ｄは前記カムリードＣと同一に構成されている。
【００１３】
前記カムドラム４０の無端カム溝５０のカムの割付けは、図１３で示されるように構成されており、９０゜毎に停止、前進、停止及び後退を繰返すことができるように構成されている。なお、前述の機構は一例を示すもので、カムを用いない構成を採用することもできる。
【００１４】
【発明の効果】
本発明による薬室型鎖栓方式のプッシュスルー型機関砲は、以上のように構成されているため、次のような効果を得ることができる。
すなわち、一対の薬室の鎖栓を左右方向に往復移動させつつ一対のランマによって給弾された弾薬を交互に装填し、給弾、装填、撃発及び薬莢排出を同時に行うことができ、鎖栓の移動距離及び装填距離は一室型と二室型鎖栓は同じであるから、各々の速度は半分に減少し、そのため、装填時のトラブルがなくなり、必要とする駆動トルクは鎖栓の重量増加を考慮しても１／２に減少することができ、小型化が達成できる。
また、装填速度が減少できることによって装填に関するトラブルを減少させることができる。
【図面の簡単な説明】
【図１】本発明による薬室型鎖栓方式のプッシュスルー型機関砲を示す側断面図である。
【図２】図１の平面図である。
【図３】図１のＡ−Ａ線による断面図である。
【図４】図３の左側装填完了を示す断面図である。
【図５】図４の鎖栓が右へ移動した状態を示す断面図である。
【図６】本発明による機関砲の動作シーケンスである。
【図７】図１の鎖栓等を作動させる機構の一例を示す側断面図である。
【図８】図７のＡ−Ａ断面図である。
【図９】図７のＢ−Ｂ断面図である。
【図１０】図７の要部の拡大分解図である。
【図１１】図９の要部を示す斜視図である。
【図１２】図７の要部を示す斜視図である。
【図１３】図１１のカムドラムの割付けを示す構成図である。
【図１４】従来構成の動作を示すシーケンス図である。
【符号の説明】
２    砲身
３    鎖栓室
Ｅ    直交方向
４    第１薬室
５    第２薬室
６    鎖栓
１０ａ〜１０ｎ    弾薬
２１    第１ランマ
２２    第２ランマ
【図１】
0003886315.tif 000003
【図２】
0003886315.tif 000004
【図３】
0003886315.tif 000005
【図４】
0003886315.tif 000006
【図５】
0003886315.tif 000007
【図６】
0003886315.tif 000008
【図７】
0003886315.tif 000009
【図８】
0003886315.tif 000010
【図９】
0003886315.tif 000011
【図１０】
0003886315.tif 000012
【図１１】
0003886315.tif 000013
【図１２】
0003886315.tif 000014
【図１３】
0003886315.tif 000015
【図１４】
0003886315.tif 000016